(57)【要約】【課題】多数の画像情報の一部を用いた処理の作業効率を容易に向上させることができるデジタルカメラ及び画像情報管理方法を得る。【解決手段】ＣＰＵ４０は、ＣＣＤ２４を介して被写体像を示す画像情報を得る際の撮影対象を示す撮影対象情報（代表画像のデジタル画像データ）を取得してメモリカード５２に記憶すると共に、撮影対象情報を特定するための撮影対象情報特定情報（ファイル名）と上記画像情報を特定するための画像情報特定情報（ファイル名）とを関連付けてインデックスファイルとしてメモリカード５２に記憶する。【選択図】        図２
2004312251.tif 000002
【特許請求の範囲】
【請求項１】
撮影によって得られた画像情報を記憶する画像情報記憶手段と、
前記画像情報を得る際の撮影対象を示す撮影対象情報を取得する取得手段と、
前記撮影対象情報を記憶する撮影対象情報記憶手段と、
前記撮影対象情報を特定するための撮影対象情報特定情報と前記画像情報を特定するための画像情報特定情報とを関連付けて記憶する特定情報記憶手段と、
を備えたデジタルカメラ。
【請求項２】
前記特定情報記憶手段は、予め定められた撮影動作モードが設定されたときから当該撮影動作モードが解除されるまでの期間の撮影によって得られた画像情報を前記画像情報特定情報の記憶の対象とすると共に、当該画像情報特定情報を撮影された順に時系列で記憶する
請求項１記載のデジタルカメラ。
【請求項３】
前記撮影対象情報を、撮影によって得られた画像情報とした
請求項１又は請求項２記載のデジタルカメラ。
【請求項４】
前記撮影対象情報を、撮影対象を示す音声情報とした
請求項１又は請求項２記載のデジタルカメラ。
【請求項５】
前記撮影対象情報特定情報及び前記画像情報特定情報を、前記撮影対象情報及び前記画像情報を電子化ファイルとして記憶する場合のファイル名とした
請求項１乃至請求項４の何れか１項記載のデジタルカメラ。
【請求項６】
前記特定情報記憶手段は、前記撮影対象情報特定情報及び前記画像情報特定情報をテキストファイルとして記憶する
請求項１乃至請求項５の何れか１項記載のデジタルカメラ。
【請求項７】
前記画像情報記憶手段により記憶された前記画像情報が消去されたとき、当該画像情報を特定するための画像情報特定情報を消去する消去手段
を更に備えた請求項１乃至請求項６の何れか１項記載のデジタルカメラ。
【請求項８】
デジタルカメラの撮影によって得られ、かつ記憶された画像情報を管理する画像情報管理方法であって、
前記画像情報を得る際の撮影対象を示す撮影対象情報を取得する取得工程と、
前記撮影対象情報を記憶する撮影対象情報記憶工程と、
前記撮影対象情報を特定するための撮影対象情報特定情報と前記画像情報を特定するための画像情報特定情報とを関連付けて記憶する特定情報記憶工程と、
を含む画像情報管理方法。
【発明の詳細な説明】
【０００１】
【発明の属する技術分野】
本発明は、デジタルカメラ及び画像情報管理方法に係り、特に、撮影によって得られた被写体像を示す画像情報を記憶する機能を有するデジタルカメラと、当該画像情報を管理する画像情報管理方法に関する。
【０００２】
【従来の技術】
近年、ＣＣＤ（Ｃｈａｒｇｅ  Ｃｏｕｐｌｅｄ  Ｄｅｖｉｃｅ、電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージ・センサ等の撮像素子の高解像度化に伴い、デジタルカメラの需要が急増している。
【０００３】
ところで、この種のデジタルカメラは、撮影によって得られた画像情報を画像ファイルとして、内蔵されたスマート・メディア、コンパクト・フラッシュ、メモリ・スティック、ＳＤメモリ、マイクロ・ドライブ等の可搬型の記録媒体に記憶するようになっているものが多い。
【０００４】
しかしながら、このような可搬型の記録媒体のメモリ容量は年々大容量化してきており、これに伴って１枚の記録媒体に記憶できる画像情報の数（撮影枚数）も増大している。従って、当該記録媒体に撮影によって記憶された多数の画像情報のうちの一部を用いて何らかの処理を行うことは、著しく手間のかかるものであった。
【０００５】
すなわち、従来、記録媒体に記憶された多数の画像情報の一部を用いて何らかの処理を行う際には、各画像情報を連番が付されたファイル名で画像ファイルとして記録媒体に予め記憶しておき、当該画像ファイル名に基づいて撮影対象を予測するか、又は上記画像ファイルに付されたタイムスタンプに基づいて撮影対象を予測して当該処理を行う方法が一般的であり、著しく手間がかかるものであった。
【０００６】
そこで、このような画像情報に対する処理を支援するための従来の技術として、撮影により得られた画像データ（画像情報）を記憶手段に記憶するデジタルカメラであって、使用者に指定された所定の使用目的を有する画像の画像データを示す索引データを作成し、当該索引データを記憶手段に記憶させる技術があった（例えば、特許文献１参照。）。
【０００７】
この技術によれば、デジタルカメラに、撮影した画像の使用目的を指定するための複数の分類指定キーを予め設けておき、撮影した画像を画像ファイルとして記憶するデジタルカメラの画像メモリ内に、各々分類指定キーに対応する複数のインデックスファイルを作成し、記録した画像の表示中に上記複数の分類指定キーの何れかが押されたときには表示中の画像のファイル名を、押された分類指定キーに対応するインデックスファイルに順に記憶させる。そして、記録した画像ファイルを用いる際には、所望の使用目的に対応するインデックスファイルに基づき、それに記述されている複数の画像ファイルを読み出し、使用目的に対応する処理を一括して行わせる。
【０００８】
【特許文献１】
特開２００２−１５８９４７公報
【０００９】
【発明が解決しようとする課題】
しかしながら、この技術では、撮影した画像の使用目的を指定するための複数の分類指定キーを予め設けておく必要があり、このために著しく手間がかかる、という問題点があった。
【００１０】
本発明は上記問題点を解消するためになされたものであり、多数の画像情報の一部を用いた処理の作業効率を容易に向上させることができるデジタルカメラ及び画像情報管理方法を提供することを目的とする。
【００１１】
【課題を解決するための手段】
上記目的を達成するために、請求項１記載のデジタルカメラは、撮影によって得られた画像情報を記憶する画像情報記憶手段と、前記画像情報を得る際の撮影対象を示す撮影対象情報を取得する取得手段と、前記撮影対象情報を記憶する撮影対象情報記憶手段と、前記撮影対象情報を特定するための撮影対象情報特定情報と前記画像情報を特定するための画像情報特定情報とを関連付けて記憶する特定情報記憶手段と、を備えている。
【００１２】
請求項１に記載のデジタルカメラによれば、撮影によって得られた画像情報が画像情報記憶手段によって記憶される。
【００１３】
ここで、本発明では、上記画像情報を得る際の撮影対象を示す撮影対象情報が取得手段によって取得され、当該撮影対象情報が撮影対象情報記憶手段によって記憶される。そして、本発明では、特定情報記憶手段により、上記撮影対象情報を特定するための撮影対象情報特定情報と上記画像情報を特定するための画像情報特定情報とが関連付けられて記憶される。
【００１４】
従って、撮影によって得られた画像情報を用いて何らかの処理を行う際には、記憶された撮影対象情報特定情報によって特定される撮影対象情報を参照することにより、当該撮影対象情報特定情報に関連付けられて記憶された画像情報特定情報によって特定される画像情報における撮影対象を容易に把握することができる。このように、処理対象とする画像情報のファイル名やタイムスタンプ等を参照することなく、撮影によって得られて記憶された画像情報の撮影内容を容易に把握することができるので、この結果として、当該画像情報が多数記憶されている場合であっても、当該多数の画像情報の一部を用いた処理の作業効率を容易に向上させることができる。
【００１５】
なお、本発明の画像情報、撮影対象情報、撮影対象情報特定情報及び画像情報特定情報の各情報を記憶させる記録媒体としては、これらの情報のうちの複数について共通の記録媒体を適用してもよいし、各情報毎に個別の記録媒体を適用してもよい。また、この場合の記録媒体としては、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュＥＥＰＲＯＭ（Ｆｌａｓｈ  ＥＥＰＲＯＭ）等の記憶素子、スマート・メディア（ＳｍａｒｔＭｅｄｉａ（Ｒ））、コンパクト・フラッシュ（ＣｏｍｐａｃｔＦｌａｓｈ）、ＡＴＡ（ＡＴ  Ａｔｔａｃｈｍｅｎｔ）カード、マイクロドライブ、フロッピィディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）、光磁気ディスク等の可搬型記録媒体やハードディスク等の固定記録媒体、或いはネットワークに接続されたサーバ・コンピュータ等に設けられた外部記憶装置等を用いることができる。更に、上記撮影対象情報としては、被写体が何なのかを示す情報、撮影場所を示す情報、撮影日時を示す情報、撮影時の天気を示す情報等、撮影対象に関するあらゆる情報を適用することができる。
【００１６】
このように、請求項１に記載のデジタルカメラによれば、画像情報を得る際の撮影対象を示す撮影対象情報を取得して記憶すると共に、撮影対象情報を特定するための撮影対象情報特定情報と画像情報を特定するための画像情報特定情報とを関連付けて記憶しているので、多数の画像情報の一部を用いた処理の作業効率を容易に向上させることができる。
【００１７】
なお、本発明は、請求項２に記載の発明のように、前記特定情報記憶手段は、予め定められた撮影動作モードが設定されたときから当該撮影動作モードが解除されるまでの期間の撮影によって得られた画像情報を前記画像情報特定情報の記憶の対象とすると共に、当該画像情報特定情報を撮影された順に時系列で記憶するものとすることができる。これにより、対象とする画像情報の指定を撮影動作モードの設定及び設定解除のみによって行うことができ、操作性を向上させることができると共に、画像情報特定情報の記憶順により撮影された順序を把握することができ、撮影順序が関係するような処理を行う場合の作業効率を向上させることができる。
【００１８】
また、本発明は、請求項３に記載の発明のように、前記撮影対象情報を、撮影によって得られた画像情報とすることができる。これによって、撮影対象を視覚的に把握することができると共に、撮影対象情報を取得するための新たな手段を設ける必要がないので、取得手段を設けるためのコストアップを回避することができる。
【００１９】
また、本発明は、請求項４に記載の発明のように、前記撮影対象情報を、撮影対象を示す音声情報とすることもできる。これによって、撮影対象を聴覚的に把握することができる。
【００２０】
また、本発明は、請求項５に記載の発明のように、前記撮影対象情報特定情報及び前記画像情報特定情報を、前記撮影対象情報及び前記画像情報を電子化ファイルとして記憶する場合のファイル名とすることができる。当該ファイル名は情報を電子化ファイルとして記憶する場合には必ず付与されるものなので、これを利用することにより、本発明を簡易に実現することができる。
【００２１】
また、本発明は、請求項６に記載の発明のように、前記特定情報記憶手段は、前記撮影対象情報特定情報及び前記画像情報特定情報をテキストファイルとして記憶するものとすることができる。これによって、撮影対象情報特定情報及び画像情報特定情報を容易に参照することができる。
【００２２】
更に、本発明は、請求項７に記載の発明のように、前記画像情報記憶手段により記憶された前記画像情報が消去されたとき、当該画像情報を特定するための画像情報特定情報を消去する消去手段を更に備えることができる。これによって、不要となった画像情報特定情報を自動的に消去することができ、利便性を向上することができる。
【００２３】
一方、上記目的を達成するために、請求項８記載の画像情報管理方法は、デジタルカメラの撮影によって得られ、かつ記憶された画像情報を管理する画像情報管理方法であって、前記画像情報を得る際の撮影対象を示す撮影対象情報を取得する取得工程と、前記撮影対象情報を記憶する撮影対象情報記憶工程と、前記撮影対象情報を特定するための撮影対象情報特定情報と前記画像情報を特定するための画像情報特定情報とを関連付けて記憶する特定情報記憶工程と、を含むものである。
【００２４】
従って、請求項８に記載の画像情報管理方法によれば、請求項１に記載の発明と同様に作用するので、請求項１記載の発明と同様に、多数の画像情報の一部を用いた処理の作業効率を容易に向上させることができる。
【００２５】
【発明の実施の形態】
以下、図面を参照して、本発明の実施の形態について詳細に説明する。なお、ここでは、本発明を静止画像の撮影を行うデジタルカメラに適用した場合について説明する。
【００２６】
〔第１実施形態〕
まず、図１を参照して、本実施の形態に係るデジタルカメラ１０の外観上の構成を説明する。
【００２７】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００２８】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２９】
そして、デジタルカメラ１０では、レリーズボタン５６Ａを半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００３０】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、が備えられている。
【００３１】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００３２】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。
【００３３】
また、デジタルカメラ１０の側面には不図示の外部接続部が設けられており、デジタルカメラ１０は、パーソナル・コンピュータ（以下、「ＰＣ」という）、ＰＤＡ（Ｐｅｒｓｏｎａｌ  Ｄｉｇｉｔａｌ  Ａｓｓｉｓｔａｎｔ、携帯情報端末）等の外部装置が接続可能に構成されている。
【００３４】
次に、図２を参照して、本実施の形態に係るデジタルカメラ１０の電気系の構成を説明する。
【００３５】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３６】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３７】
なお、デジタル信号処理部３０は、所定容量のラインバッファを内蔵し、入力されたデジタルデータを後述するメモリ４８の所定領域に直接記憶させる制御も行う。
【００３８】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３９】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００４０】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４１】
なお、本実施の形態のデジタルカメラ１０では、メモリ４８としてＶＲＡＭ（Ｖｉｄｅｏ  ＲＡＭ）が用いられ、メモリカード５２としてスマートメディア（Ｓｍａｒｔ  Ｍｅｄｉａ（Ｒ））が用いられている。
【００４２】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００４３】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４４】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４５】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４６】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４７】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４８】
一方、デジタルカメラ１０には、前述した不図示の外部接続部に接続された外部装置とデジタルカメラ１０との間の所定のインタフェース規格（本実施の形態では、ＵＳＢ（Ｕｎｉｖｅｒｓａｌ  Ｓｅｒｉａｌ  Ｂｕｓ））による相互通信を可能とするための外部機器インタフェース７０が備えられている。この外部機器インタフェース７０はシステムバスＢＵＳを介してＣＰＵ４０と相互に接続されている。従って、ＣＰＵ４０は、上記不図示の外部接続部に接続された外部装置との間で外部機器インタフェース７０を介した相互通信が可能とされている。
【００４９】
また、デジタルカメラ１０にはマイク８０が備えられており、マイク８０は当該マイク８０によって収集されたアナログ信号である音声信号をデジタルデータに変換するＡＤＣ（アナログ／デジタル変換器）を含んで構成されたマイクインタフェース８２を介してシステムバスＢＵＳに接続されている。従って、ＣＰＵ４０は、マイク８０により収集された音声信号をデジタルデータとして取得することができる。
【００５０】
次に、本実施の形態に係るデジタルカメラ１０の撮影時における全体的な動作について簡単に説明する。
【００５１】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５２】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５３】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００５４】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５５】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５６】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイルとして記録する。なお、ＬＣＤ３８をファインダとして使用している場合には、レリーズボタン５６Ａが全押し状態とされたタイミングでＬＣＤ３８に表示されていた画像（被写体像）がＬＣＤ３８に静止画像として表示された状態となる。
【００５７】
以上がデジタルカメラ１０の撮影時における全体的な動作の流れであるが、本実施の形態に係るデジタルカメラ１０では、不図示のメニュー画面上でユーザにより十字カーソルボタン５６Ｄの操作に応じて代表画像関連付けモードが設定された場合には、代表画像関連付けモード処理のもとに撮影が行われる。
【００５８】
以下、図３を参照して、本実施の形態に係る代表画像関連付けモード処理について説明する。なお、図３は、当該代表画像関連付けモード処理の実行時にＣＰＵ４０により実行される代表画像関連付けモード処理プログラムの処理の流れを示すフローチャートである。また、ここでは、ＬＣＤ３８をファインダとして用いる場合について説明する。
【００５９】
同図のステップ１００では、レリーズボタン５６Ａに対する押圧操作に応じて上述したように撮影を行う。但し、ここでは、当該撮影によって得られたデジタル画像データ（ＹＣ信号）のメモリカード５２への記録は行わない。
【００６０】
本ステップ１００の処理によってＬＣＤ３８には被写体像が静止画像として表示された状態となるので、次のステップ１０２では、当該画像に所定画像をＯＳＤ（Ｏｎ  Ｓｃｒｅｅｎ  Ｄｉｓｐｌａｙ）機能にて重ねて表示することにより、ＬＣＤ３８に代表画像登録確認画面を表示する。
【００６１】
図４には本実施の形態に係る代表画像登録確認画面が示されている。同図に示すように、当該画面では、レリーズボタン５６Ａが全押し状態とされたタイミングでＬＣＤ３８にスルー画像として表示されていた被写体像が静止画像の状態になると共に、当該画像を代表画像として登録するか否かの指定を促す旨のメッセージが表示される。当該画面が表示されると、ユーザは、表示されている画像を代表画像として登録する場合には当該画面に表示された「はい」ボタンを、登録しない場合には「いいえ」ボタンを、十字カーソルボタン５６Ｄの操作により指定する。これにより、ＣＰＵ４０には、ユーザによって指定されたボタンを示す情報が入力される。
【００６２】
なお、上記代表画像のデジタル画像データは、この時点から、設定されている代表画像関連付けモードが解除されるまでの期間の撮影により得られる画像の撮影対象を示す撮影対象情報となるので、ユーザは、ＬＣＤ３８に表示されている静止画像が、当該撮影対象情報により示される画像として適当であることを確認した後、代表画像として登録することを指示するようにする。ここで、上記撮影対象情報としては、被写体が何であるのかを示す情報、撮影場所を示す情報、撮影日時を示す情報、撮影時の天気を示す情報等、撮影対象に関するあらゆる情報を適用することができるが、本実施の形態では、撮影場所を特定できるような看板や景色等が含まれる画像のデジタル画像データを適用している。
【００６３】
次のステップ１０４では、上記ユーザによって指定されたボタンを示す情報に基づき、ユーザによって表示中の画像を代表画像として登録することが指示されたか否かを判定し、否定判定となった場合は上記ステップ１００に戻って再びステップ１００〜ステップ１０２の処理を実行し、肯定判定となった時点でステップ１０６に移行する。
【００６４】
以上のステップ１００〜ステップ１０４の繰り返し処理により、代表画像として登録すべき画像が撮影されるまで、メモリカード５２にデジタル画像データが記録されない撮影がユーザにより繰り返して実行されることになる。
【００６５】
ステップ１０６では、ＬＣＤ３８に表示されている静止画像を示すデジタル画像データ（本実施の形態では、ＹＣ信号）を圧縮・伸張処理回路５４によって所定の圧縮形式（本実施の形態では、ＪＰＥＧ形式）で圧縮した後にメモリカード５２に電子化ファイル（画像ファイル）として記録する。これに伴い、メモリカード５２のディレクトリには、当該画像ファイルのファイル名が新たに記録される。このファイル名は、代表画像の画像ファイル（撮影対象情報）を特定するための撮影対象情報特定情報として用いることができる。
【００６６】
そこで、次のステップ１０８では、上記ステップ１０６の処理によってメモリカード５２のディレクトリに記録されたファイル名を用いて、メモリカード５２にインデックスファイルを作成する。
【００６７】
図５には本実施の形態に係るインデックスファイルの構成が模式的に示されている。同図に示すように、当該インデックスファイルには、ユーザにより代表画像として登録することが指定された画像のファイル名（同図では、「ａａａａａ．ｊｐｇ」）が記録される。なお、この時点では、同図おける関連ファイル（設定されている代表画像関連付けモードが解除されるまでの撮影によって得られたデジタル画像データの画像ファイル）を特定するためのファイル名（同図では、「ｂｂｂｂｂ．ｊｐｇ」、「ｃｃｃｃｃ．ｊｐｇ」、・・・）は記録されていない。また、本実施の形態に係るデジタルカメラ１０では、当該インデックスファイルをテキストファイルとして作成する。
【００６８】
次のステップ１１０では、レリーズボタン５６Ａに対する押圧操作に応じて上述したように撮影を行う。但し、ここでは、上記ステップ１００の処理とは異なり、当該撮影によって得られたデジタル画像データ（ＹＣ信号）の圧縮データのメモリカード５２への記録を行う。すなわち、ここでは、通常通りの撮影を実行する。これにより、メモリカード５２のディレクトリには、記録したデジタル画像データの画像ファイルに対応するファイル名が新たに記録される。このファイル名は、当該画像ファイル（画像情報）を特定するための画像情報特定情報として用いることができる。
【００６９】
そこで、次のステップ１１２では、当該ファイル名を上記ステップ１０８において作成したテキストファイルに追加記録する。
【００７０】
次のステップ１１４では、ユーザにより十字カーソルボタン５６Ｄ等の操作に応じて代表画像関連付けモードが解除されたか否かを判定し、否定判定となった場合は上記ステップ１１０に戻って再びステップ１１０〜ステップ１１２の処理を行い、肯定判定となった時点で本代表画像関連付けモード処理プログラムを終了する。
【００７１】
上記ステップ１１０〜ステップ１１４の繰り返し処理により、ユーザによって代表画像関連付けモードが解除されるまで通常の撮影が実行されると共に、一例として図５に示されるように、当該撮影によってメモリカード５２に記録された画像ファイルに付与されたファイル名が上記インデックスファイルに時系列順に追記されることになる。
【００７２】
本代表画像関連付けモード処理プログラムのステップ１００の処理が本発明の取得手段及び取得工程に、ステップ１０６の処理が本発明の撮影対象情報記憶手段及び撮影対象情報記憶工程に、ステップ１０８及びステップ１１２の処理が本発明の特定情報記憶手段及び特定情報記憶工程に、ステップ１１０の処理が本発明の画像情報記憶手段に、各々相当する。
【００７３】
一方、本実施の形態に係るデジタルカメラ１０では、ユーザによる十字カーソルボタン５６Ｄ等の操作によって、メモリカード５２に記録されている何れかの画像ファイルの消去の指示入力が行われた場合には、画像ファイル消去処理が実行される。
【００７４】
以下、図６を参照して、本実施の形態に係る画像ファイル消去処理について説明する。なお、図６は、当該画像ファイル消去処理の実行時にＣＰＵ４０により実行される画像ファイル消去処理プログラムの処理の流れを示すフローチャートである。
【００７５】
同図のステップ１５０では、ユーザによって消去が指示された画像ファイルをメモリカード５２から消去する。
【００７６】
次のステップ１５２では、上記ステップ１５０において消去した画像ファイルのファイル名をメモリカード５２に記憶されている全てのインデックスファイルの記憶内容から検索し、次のステップ１５４において、検索したファイル名を当該インデックスファイルから消去し、その後に本画像ファイル消去処理プログラムを終了する。
【００７７】
本画像ファイル消去処理により、ユーザからの指示に応じて、メモリカード５２に記憶された任意の画像ファイルを消去することができると共に、不必要となった当該画像ファイルのファイル名をインデックスファイルから消去することができる。本画像ファイル消去処理プログラムのステップ１５４の処理が本発明の消去手段に相当する。
【００７８】
なお、メモリカード５２に記録された画像ファイルを用いてＰＣ９０により何らかの処理を行う場合には、図２に示されるように、デジタルカメラ１０に対し、外部機器インタフェース７０を介してＰＣ９０を接続する。
【００７９】
そして、ＰＣ９０は、ユーザからの指示入力に応じて、上述した代表画像関連付けモード処理（図３参照。）によってメモリカード５２に記憶されたインデックスファイル（図５参照。）の転送要求をデジタルカメラ１０に送信する。これに応じてデジタルカメラ１０は、当該インデックスファイルをＰＣ９０に転送する。なお、デジタルカメラ１０は、メモリカード５２に複数のインデックスファイルが存在する場合には、これらの全てのインデックスファイルをＰＣ９０に転送する。
【００８０】
ＰＣ９０は、デジタルカメラ１０から転送されてきた全てのインデックスファイルから代表画像の画像ファイルのファイル名を読み出し、当該ファイル名の画像ファイルの転送要求をデジタルカメラ１０に送信する。これに応じてデジタルカメラ１０は、当該画像ファイルをＰＣ９０に転送する。
【００８１】
ＰＣ９０は、デジタルカメラ１０から転送されてきた画像ファイルにより示される代表画像を当該ＰＣ９０に設けられた不図示のディスプレイ装置により表示する。なお、ＰＣ９０は、インデックスファイルが複数存在したために複数の代表画像の画像ファイルがデジタルカメラ１０から転送されてきた場合には、これらの画像ファイルにより示される各代表画像を上記ディスプレイ装置に一覧表示する。
【００８２】
従って、ユーザは、ＰＣ９０のディスプレイ装置に表示された画像を参照することにより、代表画像の画像ファイルと同一のインデックスファイルにファイル名が記憶された画像ファイルにおける撮影対象を容易に把握することができる。すなわち、例えば図４に示されるように、代表画像が動物園の名称を示す看板が含まれた画像であった場合、当該インデックスファイルにファイル名が記憶された画像ファイルは撮影対象が当該動物園に関するものであることを容易に把握することができる。
【００８３】
そこで、ユーザは、ＰＣ９０のディスプレイ装置に表示された代表画像を参照して、処理を行いたい撮影対象を選択する。これに応じてＰＣ９０は、ユーザによって選択された代表画像のファイル名が記憶されているインデックスファイルにおける他のファイル名を読み出し、当該ファイル名に対応する画像ファイルの転送要求をデジタルカメラ１０に送信する。これに応じてデジタルカメラ１０は、当該画像ファイル（同一のインデックスファイルに記憶されることにより、代表画像のファイル名に関連付けられたファイル名に対応する画像ファイル）をＰＣ９０に転送する。
【００８４】
ＰＣ９０は、デジタルカメラ１０から転送されてきた画像ファイルにより示される画像をディスプレイ装置により一覧表示する、プリント出力する等の処理を行う。
【００８５】
以上詳細に説明したように、本実施の形態に係るデジタルカメラ１０では、画像情報を得る際の撮影対象を示す撮影対象情報（代表画像のデジタル画像データ）を取得して記憶すると共に、撮影対象情報を特定するための撮影対象情報特定情報（ファイル名）と上記画像情報を特定するための画像情報特定情報（ファイル名）とを関連付けて記憶しているので、多数の画像情報の一部を用いた処理の作業効率を容易に向上させることができる。
【００８６】
また、本実施の形態に係るデジタルカメラ１０では、予め定められた撮影動作モード（代表画像関連付けモード）が設定されたときから当該撮影動作モードが解除されるまでの期間の撮影によって得られた画像情報を画像情報特定情報の記憶の対象とすると共に、当該画像情報特定情報を撮影された順に時系列で記憶しているので、対象とする画像情報の指定を撮影動作モードの設定及び設定解除のみによって行うことができ、操作性を向上させることができると共に、画像情報特定情報の記憶順により撮影された順序を把握することができ、撮影順序が関係するような処理を行う場合の作業効率を向上させることができる。
【００８７】
また、本実施の形態に係るデジタルカメラ１０では、撮影対象情報を、撮影によって得られた画像情報としているので、撮影対象を視覚的に容易に把握することができると共に、撮影対象情報を取得するための新たな手段を設ける必要がないので、取得手段を設けるためのコストアップを回避することができる。
【００８８】
また、本実施の形態に係るデジタルカメラ１０では、撮影対象情報特定情報及び画像情報特定情報を、撮影対象情報及び画像情報を電子化ファイルとして記憶する場合のファイル名としているため、当該ファイル名は情報を電子化ファイルとして記憶する場合には必ず付与されるものなので、本発明を簡易に実現することができる。
【００８９】
また、本実施の形態に係るデジタルカメラ１０では、撮影対象情報特定情報及び画像情報特定情報をテキストファイルとして記憶しているので、撮影対象情報特定情報及び画像情報特定情報を容易に参照することができる。
【００９０】
更に、本実施の形態に係るデジタルカメラ１０では、メモリカード５２に記憶された画像情報が消去されたとき、当該画像情報を特定するための画像情報特定情報を消去しているので、不要となった画像情報特定情報を自動的に消去することができ、利便性を向上することができる。
【００９１】
〔第２実施形態〕
上記第１実施形態では、本発明の撮影対象情報として撮影により得られた画像情報を適用した場合の形態について説明したが、本第２実施形態では、当該撮影対象情報として撮影対象を示す音声情報を適用した場合の形態について説明する。なお、本第２実施形態に係るデジタルカメラの構成は上記第１実施形態に係るデジタルカメラ１０（図１、図２参照。）と同様であるので、ここでの説明は省略する。
【００９２】
本実施の形態に係るデジタルカメラ１０では、不図示のメニュー画面上でユーザにより十字カーソルボタン５６Ｄの操作に応じて音声キーワード関連付けモードが設定された場合には、音声キーワード関連付けモード処理のもとに撮影が行われる。
【００９３】
以下、図７を参照して、本実施の形態に係る音声キーワード関連付けモード処理について説明する。なお、図７は、当該音声キーワード関連付けモード処理の実行時にＣＰＵ４０により実行される音声キーワード関連付けモード処理プログラムの処理の流れを示すフローチャートである。また、ここでは、ＬＣＤ３８をファインダとして用いる場合について説明する。
【００９４】
同図のステップ２００では、ＬＣＤ３８に予め定められた音声キーワード登録画面を表示する。
【００９５】
図８には本実施の形態に係る音声キーワード登録画面が示されている。同図に示すように、当該画面では、「開始」ボタンの指定後に音声キーワードを発声し、その後に「終了」ボタンを指定する旨のメッセージが表示される。
【００９６】
そこで、ユーザは、十字カーソルボタン５６Ｄの操作により「開始」ボタンを指定した後に音声キーワードを発声し、その後に「終了」ボタンを指定する。これによって、ＣＰＵ４０には、ユーザによって発声された音声キーワードが、マイク８０及びマイクインタフェース８２を介してデジタルデータとして入力される。
【００９７】
これに応じてＬＣＤ３８には、同図に示すように、発声した音声キーワードを登録するか否かの指定を促す旨のメッセージが表示される。当該メッセージが表示されると、ユーザは、発声した音声キーワードを登録する場合には、十字カーソルボタン５６Ｄの操作により当該画面に表示された矩形枠内に当該音声キーワードを登録する際のファイル名を入力し、登録しない場合には「登録しない」ボタンを指定する。これにより、ＣＰＵ４０には、ユーザによって入力されたファイル名を示す情報又は「登録しない」ボタンが指定されたことを示す情報が入力される。
【００９８】
なお、上記音声キーワードのデジタルデータは、この時点から、設定されている音声キーワード関連付けモードが解除されるまでの期間の撮影により得られる画像の撮影対象を示す撮影対象情報となるので、ユーザは、発声した音声キーワードが当該撮影対象情報として適当である場合に当該音声キーワードのファイル名を入力するようにする。ここで、上記撮影対象情報としては、被写体が何であるのかを示す情報、撮影場所を示す情報、撮影日時を示す情報、撮影時の天気を示す情報等、撮影対象に関するあらゆる情報を適用することができるが、本実施の形態では、撮影場所を示す情報を適用している。
【００９９】
次のステップ２０２では、音声キーワードのファイル名が入力されたか否かを判定することにより、ユーザによって音声キーワードを登録することが指示されたか否かを判定し、否定判定となった場合は上記ステップ２００に戻って再びステップ２００の処理を実行し、肯定判定となった時点でステップ２０４に移行する。
【０１００】
以上のステップ２００〜ステップ２０２の繰り返し処理により、音声キーワードとして登録すべき音声のデジタルデータが入力されるまで、マイク８０を介した音声キーワードの発声がユーザにより繰り返して実行されることになる。
【０１０１】
ステップ２０４では、上記ステップ２００の処理によりユーザによって入力された音声キーワードを示すデジタルデータをメモリカード５２に電子化ファイル（音声ファイル）として記録する。なお、この際のファイル名は、上記ステップ２００の処理により入力されたファイル名が適用される。
【０１０２】
次のステップ２０６では、当該ファイル名を用いて、メモリカード５２にインデックスファイルを作成する。
【０１０３】
図９には本実施の形態に係るインデックスファイルの構成が模式的に示されている。同図に示すように、当該インデックスファイルには、ユーザにより音声キーワードとして登録することが指定された音声のファイル名（同図では、「ａａａａａ．ｗａｖ」）が記録される。なお、この時点では、同図おける関連ファイル（設定されている音声キーワード関連付けモードが解除されるまでの撮影によって得られたデジタル画像データの画像ファイル）を特定するためのファイル名（同図では、「ｂｂｂｂｂ．ｊｐｇ」、「ｃｃｃｃｃ．ｊｐｇ」、・・・）は記録されていない。また、本実施の形態に係るデジタルカメラ１０でも、当該インデックスファイルをテキストファイルとして作成する。
【０１０４】
次のステップ２０８では、レリーズボタン５６Ａに対する押圧操作に応じて通常通りの撮影を行う。これにより、メモリカード５２には当該撮影によって得られたデジタル画像データ（ＹＣ信号）の圧縮データが記録されると共に、メモリカード５２のディレクトリには、記録したデジタル画像データの画像ファイルに対応するファイル名が新たに記録される。このファイル名は、当該画像ファイル（画像情報）を特定するための画像情報特定情報として用いることができる。
【０１０５】
そこで、次のステップ２１０では、当該ファイル名を上記ステップ２０６において作成したテキストファイルに追加記録する。
【０１０６】
次のステップ２１２では、ユーザにより十字カーソルボタン５６Ｄ等の操作に応じて音声キーワード関連付けモードが解除されたか否かを判定し、否定判定となった場合は上記ステップ２０８に戻って再びステップ２０８〜ステップ２１０の処理を行い、肯定判定となった時点で音声キーワード関連付けモード処理プログラムを終了する。
【０１０７】
上記ステップ２０８〜ステップ２１２の繰り返し処理により、ユーザによって音声キーワード関連付けモードが解除されるまで通常の撮影が実行されると共に、一例として図９に示されるように、当該撮影によってメモリカード５２に記録された画像ファイルに付与されたファイル名が上記インデックスファイルに時系列順に追記されることになる。
【０１０８】
本音声キーワード関連付けモード処理プログラムのステップ２０２の処理が本発明の取得手段及び取得工程に、ステップ２０４の処理が本発明の撮影対象情報記憶手段及び撮影対象情報記憶工程に、ステップ２０６及びステップ２１０の処理が本発明の特定情報記憶手段及び特定情報記憶工程に、ステップ２０８の処理が本発明の画像情報記憶手段に、各々相当する。
【０１０９】
なお、メモリカード５２に記録された画像ファイルを用いてＰＣ９０により何らかの処理を行う場合には、図２に示されるように、デジタルカメラ１０に対し、外部機器インタフェース７０を介してＰＣ９０を接続する。
【０１１０】
そして、ＰＣ９０は、ユーザからの指示入力に応じて、上述した音声キーワード関連付けモード処理（図７参照。）によってメモリカード５２に記憶されたインデックスファイル（図９参照。）の転送要求をデジタルカメラ１０に送信する。これに応じてデジタルカメラ１０は、当該インデックスファイルをＰＣ９０に転送する。なお、デジタルカメラ１０は、メモリカード５２に複数のインデックスファイルが存在する場合には、これらの全てのインデックスファイルをＰＣ９０に転送する。
【０１１１】
ＰＣ９０は、デジタルカメラ１０から転送されてきた全てのインデックスファイルから音声キーワードの音声ファイルのファイル名を読み出し、当該ファイル名の音声ファイルの転送要求をデジタルカメラ１０に送信する。これに応じてデジタルカメラ１０は、当該音声ファイルをＰＣ９０に転送する。
【０１１２】
ＰＣ９０は、デジタルカメラ１０から転送されてきた音声ファイルにより示される音声キーワードを当該ＰＣ９０に設けられた不図示のスピーカにより再生する。なお、ＰＣ９０は、インデックスファイルが複数存在したために複数の音声キーワードの音声ファイルがデジタルカメラ１０から転送されてきた場合には、これらの音声ファイルのファイル名を不図示のディスプレイ装置に一覧表示する。これに応じてユーザは、表示されているファイル名から何れか１つを選択する。これに応じてＰＣ９０は、ユーザによって選択されたファイル名に対応する音声ファイルによって示される音声キーワードを上記スピーカにより再生する。
【０１１３】
従って、ユーザは、再生された音声キーワードを聞くことにより、当該音声キーワードのファイル名が記憶されたインデックスファイルにファイル名が記憶された画像ファイルにおける撮影対象を容易に把握することができる。すなわち、例えば、図８に示される音声キーワード登録画面上でユーザにより動物園の名称を示す音声キーワードが入力された場合、当該インデックスファイルにファイル名が記憶された画像ファイルは撮影対象が当該動物園に関するものであることを容易に把握することができる。
【０１１４】
そこで、ユーザは、ＰＣ９０により再生された音声キーワードを聞いて、当該音声キーワードにより示される撮影対象を処理対象として選択するか否かを指定する。これに応じてＰＣ９０は、ユーザによって選択する旨が指示された場合には、当該音声キーワードのファイル名が記憶されているインデックスファイルの他のファイル名を読み出し、当該ファイル名に対応する画像ファイルの転送要求をデジタルカメラ１０に送信する。これに応じてデジタルカメラ１０は、当該画像ファイル（同一のインデックスファイルに記憶されることにより、音声キーワードのファイル名に関連付けられたファイル名に対応する画像ファイル）をＰＣ９０に転送する。
【０１１５】
ＰＣ９０は、デジタルカメラ１０から転送されてきた画像ファイルにより示される画像をディスプレイ装置により一覧表示する、プリント出力する等の処理を行う。
【０１１６】
以上詳細に説明したように、本実施の形態に係るデジタルカメラ１０では、上記第１実施形態に係るデジタルカメラ１０と同様の効果を奏することができると共に、撮影対象情報を、撮影対象を示す音声情報としているので、撮影対象を聴覚的に容易に把握することができる。
【０１１７】
なお、上記各実施の形態では、デジタルカメラ１０をＰＣ９０に接続して、当該ＰＣ９０によってデジタルカメラ１０のメモリカード５２に記憶された画像ファイルに対して各種の処理を行う場合について説明したが、本発明はこれに限定されるものではなく、例えば、デジタルカメラ１０において当該画像ファイルに対する各種処理を直接行う形態とすることもできる。この場合も、上記各実施の形態と同様の効果を奏することができる。
【０１１８】
また、上記各実施の形態では、本発明の画像情報として静止画像の画像情報を適用した場合について説明したが、本発明はこれに限定されるものではなく、例えば、動画像の画像情報を適用する形態とすることもできる。この場合も、上記各実施の形態と同様の効果を奏することができる。
【０１１９】
また、上記各実施の形態に係るデジタルカメラ１０の構成（図１、図２参照）は一例であり、本発明の主旨を逸脱しない範囲内において適宜変更可能であることは言うまでもない。
【０１２０】
更に、上記各実施の形態において説明した各種処理プログラム（図３、図６、図７参照）の処理の流れも一例であり、本発明の主旨を逸脱しない範囲内において適宜変更可能であることは言うまでもない。
【０１２１】
【発明の効果】
以上詳細に説明したように、本発明によれば、画像情報を得る際の撮影対象を示す撮影対象情報を取得して記憶すると共に、撮影対象情報を特定するための撮影対象情報特定情報と画像情報を特定するための画像情報特定情報とを関連付けて記憶しているので、多数の画像情報の一部を用いた処理の作業効率を容易に向上させることができる、という効果が得られる。
【図面の簡単な説明】
【図１】実施の形態に係るデジタルカメラ１０の外観を示す外観図である。
【図２】実施の形態に係るデジタルカメラ１０の電気系の構成を示すブロック図である。
【図３】第１実施形態に係る代表画像関連付けモード処理プログラムの処理の流れを示すフローチャートである。
【図４】第１実施形態に係る代表画像登録確認画面の表示例を示す概略図である。
【図５】第１実施形態に係るインデックスファイルの構成例を示す模式図である。
【図６】実施の形態に係る画像ファイル消去処理プログラムの処理の流れを示すフローチャートである。
【図７】第２実施形態に係る音声キーワード関連付けモード処理プログラムの処理の流れを示すフローチャートである。
【図８】第２実施形態に係る音声キーワード登録画面の表示例を示す概略図である。
【図９】第２実施形態に係るインデックスファイルの構成例を示す模式図である。
【符号の説明】
１０    デジタルカメラ
４０    ＣＰＵ
４８    メモリ
５２    メモリカード
８０    マイク
９０    パーソナル・コンピュータ
【図１】
2004312251.tif 000003
【図２】
2004312251.tif 000004
【図３】
2004312251.tif 000005
【図４】
2004312251.tif 000006
【図５】
2004312251.tif 000007
【図６】
2004312251.tif 000008
【図７】
2004312251.tif 000009
【図８】
2004312251.tif 000010
【図９】
2004312251.tif 000011